(57)【要約】【課題】電子タバコにおける蓄電池を充電するための充電用電源接続装置であって、外部電源からの電力による前記電子タバコの前記蓄電池への充電の際の利便性を向上させることができる電子タバコの充電用電源接続装置を提供する。【解決手段】電子タバコ２００における蓄電池２１０を充電するための充電用電源接続装置１００は、電源機器３００のＵＳＢポート３１０に装着されるＵＳＢ入力コネクタ１１０と、携帯端末機４００の電源アダプタ４１０におけるプラグ４１１に装着される携帯端末機用入力コネクタ１２０と、ＵＳＢ入力コネクタ１１０及び携帯端末機用入力コネクタ１２０にそれぞれ接続される充電回路１３０と、充電回路１３０に接続される一方、電子タバコ２００の接続端子２２０に装着されて充電回路１３０から出力される電力を蓄電池２１０に供給する電子タバコ充電用出力コネクタ１５０とを備えている。【選択図】図２
2012090427.tif 000002
【特許請求の範囲】
【請求項１】
電子タバコにおける蓄電池を充電するための充電用電源接続装置であって、
電源機器のＵＳＢポートに装着されて該電源機器からの電力が供給されるＵＳＢ入力コネクタと、
携帯端末機の電源アダプタにおけるプラグに装着されて該電源アダプタからの電力が供給される携帯端末機用入力コネクタと、
前記ＵＳＢ入力コネクタ及び前記携帯端末機用入力コネクタにそれぞれ接続されて前記電子タバコの前記蓄電池を充電するための電力を出力する充電回路と、
前記充電回路に接続される一方、前記電子タバコの接続端子に装着されて該充電回路から出力される電力を前記蓄電池に供給する電子タバコ充電用出力コネクタと
を備えていることを特徴とする電子タバコの充電用電源接続装置。
【請求項２】
請求項１に記載の電子タバコの充電用電源接続装置であって、
前記携帯端末機用入力コネクタは、互いに異なる複数種類の携帯端末機の電源アダプタにおけるプラグにそれぞれ装着される互いに異なる複数種類の携帯端末機用入力コネクタを備えていることを特徴とする電子タバコの充電用電源接続装置。
【請求項３】
請求項１又は請求項２に記載の電子タバコの充電用電源接続装置であって、
前記ＵＳＢ入力コネクタ、前記携帯端末機用入力コネクタ、前記充電回路及び前記電子タバコ充電用出力コネクタを収容する装置ケースを備え、
前記装置ケースには、前記ＵＳＢ入力コネクタ、前記携帯端末機用入力コネクタ及び前記電子タバコ充電用出力コネクタのための開口が設けられていることを特徴とする電子タバコの充電用電源接続装置。
【請求項４】
請求項３に記載の電子タバコの充電用電源接続装置であって、
前記ＵＳＢ入力コネクタ及び前記電子タバコ充電用出力コネクタは、着脱方向が互いに相反する第１方向に向くように、かつ、該第１方向で揃うように配設されていることを特徴とする電子タバコの充電用電源接続装置。
【請求項５】
請求項４に記載の電子タバコの充電用電源接続装置であって、
前記携帯端末機用入力コネクタは、互いに異なる２種類の第１及び第２携帯端末機の電源アダプタにおけるプラグにそれぞれ装着される互いに異なる２種類の第１及び第２携帯端末機用入力コネクタを有し、
前記第１及び第２携帯端末機用入力コネクタは、前記第１方向に直交する方向であって着脱方向が互いに相反する第２方向に向くように、かつ、該第２方向で揃うように配設されていることを特徴とする電子タバコの充電用電源接続装置。
【請求項６】
請求項５に記載の電子タバコの充電用電源接続装置であって、
前記ＵＳＢ入力コネクタ、前記第１及び第２携帯端末機用入力コネクタは、前記充電回路を形成した基板上に設けられていることを特徴とする電子タバコの充電用電源接続装置。
【請求項７】
請求項６に記載の電子タバコの充電用電源接続装置であって、
前記基板上に形成された前記充電回路には、前記第１及び第２携帯端末機用入力コネクタから電力が供給されることでそれぞれ発光する第１及び第２発光素子が設けられており、
前記装置ケースには、前記第１及び第２発光素子からの光を透過させる第１及び第２光透過部がそれぞれ設けられていることを特徴とする電子タバコの充電用電源接続装置。
【請求項８】
請求項７に記載の電子タバコの充電用電源接続装置であって、
前記装置ケースにおける前記第１及び第２光透過部の近傍で、かつ、前記第１及び第２携帯端末機用入力コネクタに対応する位置には、前記第１及び第２携帯端末機の電源アダプタの種類を示す第１及び第２表示情報がそれぞれ表示されていることを特徴とする電子タバコの充電用電源接続装置。
【請求項９】
請求項８に記載の電子タバコの充電用電源接続装置であって、
前記装置ケースにおける前記第１及び第２表示情報が表示されている面とは反対側の面の前記第１及び第２携帯端末機用入力コネクタに対応する位置には、前記第１及び第２携帯端末機の電源アダプタの種類を示す第３及び第４表示情報がそれぞれ表示されていることを特徴とする電子タバコの充電用電源接続装置。
【請求項１０】
請求項１から請求項９までの何れか一つに記載の電子タバコの充電用電源接続装置であって、
前記充電回路には、前記電源機器及び前記携帯端末機の電源アダプタのうち、２つ以上の機器が接続された場合、接続された機器への電流の逆流を防止するための逆流防止用ダイオードが設けられていることを特徴とする電子タバコの充電用電源接続装置。
【発明の詳細な説明】
【技術分野】
【０００１】
本発明は、電子タバコにおける蓄電池を充電するための充電用電源接続装置に関する。
【背景技術】
【０００２】
喫煙に対する健康意識の高まりのなか、タバコの代替物として使用される電子タバコは、従来から知られている（例えば特許文献１〜３参照）。
【０００３】
電子タバコは、一般的に、内部に薬品を設け、この薬品を蓄電池により電気的に揮発、霧状化させ、その微粒子を喫煙者に吸引させるようになっている。
【０００４】
しかしながら、このような電子タバコでは、蓄電池を電力源としており、蓄電池の電力が減少すると、外部電源からの電力により該蓄電池を充電する必要があることから、外部電源からの電力による充電の際の利便性がよくない。
【０００５】
例えば、特許文献１，２に記載の充電構成では、単一の外部電源（例えばパーソナルコンピュータ等の電源装置）からの電力をＵＳＢソケット又はプラグを介して供給するだけなので（特許文献１の段落［００３４］、特許文献２の段落［００２６］参照）、他の外部電源からの電力を供給することについては考慮されていない。また、特許文献３には、蓄電池への充電は、外部電源としての外部計算デバイス（例えばパーソナルコンピュータ）からＵＳＢインターフェイスを介して行う他、市販されている１１０／２２０ＶのＡＣコンセント充電器や、１２ＶのＤＣ車載充電器を接続することが行われる点が記載されているものの（特許文献３の段落［００５６］，［００５７］参照）、この場合、ＡＣコンセント充電器やＤＣ車載充電器をＵＳＢインターフェイスに接続するための接続変換コネクタや接続変換ケーブルを別途用意する必要がある。
【先行技術文献】
【特許文献】
【０００６】
【特許文献１】実用新案登録第３１６０７０８号公報
【特許文献２】実用新案登録第３１６０９５１号公報
【特許文献３】特表２０１０−５２６５５３号公報
【発明の概要】
【発明が解決しようとする課題】
【０００７】
そこで、本発明は、電子タバコにおける蓄電池を充電するための充電用電源接続装置であって、外部電源からの電力による前記電子タバコの前記蓄電池への充電の際の利便性を向上させることができる電子タバコの充電用電源接続装置を提供することを目的とする。
【課題を解決するための手段】
【０００８】
本発明は、前記課題を解決するために、電子タバコにおける蓄電池を充電するための充電用電源接続装置であって、電源機器のＵＳＢポートに装着されて該電源機器からの電力が供給されるＵＳＢ入力コネクタと、携帯端末機（代表的には携帯電話機）の電源アダプタ（代表的にはＡＣアダプタ）におけるプラグに装着されて該電源アダプタからの電力が供給される携帯端末機用入力コネクタと、前記ＵＳＢ入力コネクタ及び前記携帯端末機用入力コネクタにそれぞれ接続されて前記電子タバコの前記蓄電池を充電するための電力を出力する充電回路と、前記充電回路に接続される一方、前記電子タバコの接続端子に装着されて該充電回路から出力される電力を前記蓄電池に供給する電子タバコ充電用出力コネクタとを備えていることを特徴とする電子タバコの充電用電源接続装置を提供する。
【０００９】
本発明によれば、外部電源として一般的に広く普及している前記電源機器（代表的にはパーソナルコンピュータ）のＵＳＢポートに装着される前記ＵＳＢ入力コネクタに加えて、外部電源として一般的に広く普及している前記携帯端末機の電源アダプタにおけるプラグに装着される前記携帯端末機用入力コネクタに接続された前記充電回路からの電力によって、前記電子タバコの前記蓄電池を充電することができる。これにより、外部電源からの電力による充電の際の利便性を向上させることができる。
【００１０】
本発明において、前記携帯端末機用入力コネクタは、互いに異なる複数種類の携帯端末機の電源アダプタにおけるプラグにそれぞれ装着される互いに異なる複数種類の携帯端末機用入力コネクタを備えている態様を例示できる。
【００１１】
この特定事項では、前記複数種類の携帯端末機用入力コネクタを備えていることにより、外部電源として前記複数種類の携帯端末機の電源アダプタを用いることができ、それだけ外部電源からの電力による充電のための利便性を向上させることが可能となる。
【００１２】
本発明において、前記ＵＳＢ入力コネクタ、前記携帯端末機用入力コネクタ、前記充電回路及び前記電子タバコ充電用出力コネクタを収容する装置ケースを備え、前記装置ケースには、前記ＵＳＢ入力コネクタ、前記携帯端末機用入力コネクタ及び前記電子タバコ充電用出力コネクタのための開口が設けられている態様を例示できる。
【００１３】
この特定事項では、前記ＵＳＢ入力コネクタ、前記携帯端末機用入力コネクタ及び前記電子タバコ充電用出力コネクタを前記装置ケースに収容することにより、これらのコネクタと前記充電回路とを前記装置ケースの外部で接続するような接続ケーブルを別途設ける必要がなく、それだけ当該充電用電源接続装置のコンパクト化を実現することが可能となる。
【００１４】
本発明において、前記ＵＳＢ入力コネクタ及び前記電子タバコ充電用出力コネクタは、着脱方向が互いに相反する第１方向に向くように、かつ、該第１方向で揃うように配設されている態様を例示できる。
【００１５】
この特定事項では、前記ＵＳＢ入力コネクタ及び前記電子タバコ充電用出力コネクタを、着脱方向が互いに相反する前記第１方向に向くように、かつ、該第１方向で揃うように配設することにより、前記電源機器のＵＳＢポートに前記ＵＳＢ入力コネクタを装着するときに、前記第１方向に沿った狭いスペースを確保するだけで前記電源機器からの電力を前記蓄電池に供給することが可能となる。
【００１６】
本発明において、前記携帯端末機用入力コネクタは、互いに異なる２種類の第１及び第２携帯端末機の電源アダプタにおけるプラグにそれぞれ装着される互いに異なる２種類の第１及び第２携帯端末機用入力コネクタを有し、前記第１及び第２携帯端末機用入力コネクタは、前記第１方向に直交する方向であって着脱方向が互いに相反する第２方向に向くように、かつ、該第２方向で揃うように配設されている態様を例示できる。
【００１７】
この特定事項では、前記第１及び第２携帯端末機用入力コネクタを、前記第１方向に直交する方向であって着脱方向が互いに相反する前記第２方向に向くように、かつ、該第２方向で揃うように配設することにより、コンパクト化を維持しつつ、前記第１及び第２携帯端末機の電源アダプタに前記第１及び第２携帯端末機用入力コネクタの少なくとも一つを装着して前記第１及び第２携帯端末機の電源アダプタの少なくとも一つからの電力を前記蓄電池に供給することが可能となる。
【００１８】
本発明において、前記ＵＳＢ入力コネクタ、前記第１及び第２携帯端末機用入力コネクタは、前記充電回路を形成した基板上に設けられている態様を例示できる。
【００１９】
この特定事項では、前記ＵＳＢ入力コネクタ、前記第１及び第２携帯端末機用入力コネクタを前記基板上に設けることにより、さらなるコンパクト化を実現しつつ、前記ＵＳＢ入力コネクタ、前記第１及び第２携帯端末機用入力コネクタを前記装置ケースに容易にかつ安定的に収容させることが可能となる。
【００２０】
本発明において、前記基板上に形成された前記充電回路には、前記第１及び第２携帯端末機用入力コネクタから電力が供給されることでそれぞれ発光する第１及び第２発光素子が設けられており、前記装置ケースには、前記第１及び第２発光素子からの光を透過させる第１及び第２光透過部がそれぞれ設けられている態様を例示できる。
【００２１】
この特定事項では、前記第１及び第２携帯端末機用入力コネクタから電力が供給されることで前記第１及び第２発光素子がそれぞれ発光することにより、前記第１及び第２携帯端末機の電源アダプタのうち接続されている電源アダプタから電力が供給されているか否かを利用者に認識させることができ、これにより、該電源アダプタからの電力を前記蓄電池に確実に供給することが可能となる。
【００２２】
本発明において、前記装置ケースにおける前記第１及び第２光透過部の近傍で、かつ、前記第１及び第２携帯端末機用入力コネクタに対応する位置には、前記第１及び第２携帯端末機の電源アダプタの種類を示す第１及び第２表示情報がそれぞれ表示されている態様を例示できる。
【００２３】
この特定事項では、前記装置ケースにおける前記第１及び第２光透過部の近傍で、かつ、前記第１及び第２携帯端末機用入力コネクタに対応する位置に前記第１及び第２表示情報をそれぞれ表示することにより、コンパクト化を維持しつつ、前記第１及び第２携帯端末機用入力コネクタがどこにあるかを示す位置表示と、前記第１及び第２光透過部にそれぞれ対応付けた前記第１及び第２携帯端末機の電源アダプタが何れの種類であるかを示す種類表示とを兼ねる表示を行うことができ、それだけ前記蓄電池への充電の際の利便性を向上させることができる。
【００２４】
なお、前記第１及び第２表示情報は、前記第１及び第２携帯端末機の電源アダプタの種類が分かるものであれば、何れのものでもよい。前記表示情報としては、例えば、携帯端末機の種類そのものや、携帯端末機の通信サービスを提供する会社（移動体通信事業者）の社名を示す文字、文章等のメッセージや、絵文字、記号等のマークを挙げることができる。
【００２５】
本発明において、前記装置ケースにおける前記第１及び第２表示情報が表示されている面とは反対側の面の前記第１及び第２携帯端末機用入力コネクタに対応する位置には、前記第１及び第２携帯端末機の電源アダプタの種類を示す第３及び第４表示情報がそれぞれ表示されている態様を例示できる。
【００２６】
この特定事項では、前記装置ケースにおける前記第１及び第２表示情報が表示されている面とは反対側の面の前記第１及び第２携帯端末機用入力コネクタに対応する位置に前記第３及び第４表示情報をそれぞれ表示することにより、当該充電用電源接続装置が裏側を向いても、前記第１及び第２携帯端末機用入力コネクタの位置表示及びそれに対応する前記第１及び第２携帯端末機の電源アダプタの種類表示を行うことができ、前記蓄電池への充電の際のさらなる利便性の向上を実現することができる。
【００２７】
本発明において、前記充電回路には、前記電源機器及び前記携帯端末機の電源アダプタのうち、２つ以上の機器が接続された場合、接続された機器への電流の逆流を防止するための逆流防止用ダイオードが設けられている態様を例示できる。
【００２８】
この特定事項では、前記充電回路に前記逆流防止用ダイオードが設けられているので、前記電源機器及び前記携帯端末機の電源アダプタのうち、２つ以上の機器が接続された場合であっても、接続された機器への逆流を容易に防止することが可能となる。
【発明の効果】
【００２９】
以上説明したように、本発明によると、外部電源として一般的に広く普及している前記電源機器のＵＳＢポートに装着される前記ＵＳＢ入力コネクタに加えて、外部電源として一般的に広く普及している前記携帯端末機の電源アダプタにおけるプラグに装着される前記携帯端末機用入力コネクタに接続された前記充電回路からの電力にて前記電子タバコの前記蓄電池を充電できるので、外部電源からの電力による充電の際の利便性を向上させることが可能となる。
【図面の簡単な説明】
【００３０】
【図１】電子タバコにおける蓄電池を充電する本発明の実施の形態に係る充電用電源接続装置の使用状態を説明するための模式図である。
【図２】図１に示す充電用電源接続装置を示す斜視図であって、（ａ）は、充電用電源接続装置の表側を示す図であり、（ｂ）は、充電用電源接続装置の裏側を示す図である。
【図３】図１に示す充電用電源接続装置の内部の状態を示す斜視図であって、（ａ）は、該充電用電源接続装置における表側ケースを取り除いた状態を示す図であり、（ｂ）は、該充電用電源接続装置における表側ケースの内側の状態を示す図である。
【図４】図１に示す充電用電源接続装置における充電回路を示す回路図である。
【発明を実施するための形態】
【００３１】
以下、本発明に係る実施の形態について図面を参照しながら説明する。なお、以下に示す実施の形態は、本発明を具体化した例であって、本発明の技術的範囲を限定する性格のものではない。
【００３２】
図１は、電子タバコ２００における蓄電池２１０を充電する本発明の実施の形態に係る充電用電源接続装置１００の使用状態を説明するための模式図である。
【００３３】
図１に示すように、電子タバコ２００の充電用電源接続装置１００は、ＵＳＢ入力コネクタ１１０が電源機器（具体的にはパーソナルコンピュータ）３００のＵＳＢ（Universal Serial Bus）ポート３１０に装着され、携帯端末機用入力コネクタ１２０が携帯端末機（ここでは携帯電話機）４００の充電用の電源アダプタ４１０におけるプラグ４１１に装着されるようになっている。
【００３４】
なお、電源機器３００は、図示しない商用電源に接続された電源機器３００の電源アダプタ５００及び電源機器３００に内蔵された蓄電池３２０の少なくとも一方から電力が供給されることにより、ＵＳＢポート３１０を介して電力を供給できるようになっている。電源機器３００としては、パーソナルコンピュータの他、商用電源をＵＳＢ電源に変換する変換機器や、車載電源をＵＳＢ電源に変換する変換機器を例示できる。
【００３５】
また、携帯端末機４００の電源アダプタ４１０は、図１の例では、交流の電圧を変圧し、かつ、直流に変換するＡＣ−ＤＣアダプタ（いわゆるＡＣアダプタ）とされている。電源アダプタ４１０は、図１に示すようなＡＣ−ＤＣアダプタである場合、電源側のプラグが図示しない商用電源に接続されることにより、プラグ４１１を介して電力を供給できるようになっている。携帯端末機の電源アダプタとしては、ＡＣ−ＤＣアダプタの他、ＤＣ−ＤＣアダプタ（例えば、電源側のプラグが自動車等に搭載されるシガーライター用のソケットに接続されるようなＤＣ−ＤＣアダプタ）を例示できる。
【００３６】
そして、充電用電源接続装置１００は、電子タバコ充電用出力コネクタ１５０が電子タバコ２００の接続端子２２０に装着され、電源機器３００のＵＳＢポート３１０及び携帯端末機４００の電源アダプタ４１０におけるプラグ４１１の少なくとも一つに装着されて電源機器３００及び電源アダプタ４１０の少なくとも一つを電源として電子タバコ充電用出力コネクタ１５０を介して電子タバコ２００における蓄電池２１０を充電するようになっている。
【００３７】
図２は、図１に示す充電用電源接続装置１００を示す斜視図である。図２（ａ）は、充電用電源接続装置１００の表側を示しており、図２（ｂ）は、充電用電源接続装置１００の裏側を示している。図３は、図１に示す充電用電源接続装置１００の内部の状態を示す斜視図である。図３（ａ）は、充電用電源接続装置１００における表側ケース１６１を取り除いた状態を示しており、図３（ｂ）は、充電用電源接続装置１００における表側ケース１６１の内側の状態を示している。
【００３８】
図２及び図３に示すように、充電用電源接続装置１００は、ＵＳＢ入力コネクタ１１０と、携帯端末機用入力コネクタ１２０と、充電回路１３０（後述する図４参照）が形成された基板１４０（図３（ａ）参照）と、電子タバコ充電用出力コネクタ１５０とを備えている。
【００３９】
ＵＳＢ入力コネクタ１１０は、電源機器３００（図１参照）のＵＳＢポート３１０に着脱可能に装着されてＵＳＢポート３１０に着脱端子１１１（図４参照）が接続されるようになっている。すなわち、充電用電源接続装置１００は、電源機器３００からの電力がＵＳＢポート３１０を介してＵＳＢ入力コネクタ１１０の着脱端子１１１に供給される構成とされている。
【００４０】
本実施の形態では、携帯端末機用入力コネクタ１２０は、互いに異なる複数種類（ここでは２種類）の着脱端子１２１ａ，１２１ｂ（図４参照）をそれぞれ有する第１及び第２携帯端末機用入力コネクタ１２０ａ，１２０ｂとされている。
【００４１】
第１及び第２携帯端末機用入力コネクタ１２０ａ，１２０ｂは、互いに異なる２種類の第１及び第２携帯端末機４００ａ，４００ｂ（図１参照）の電源アダプタ４１０ａ，４１０ｂにおけるプラグ４１１ａ，４１１ｂにそれぞれ着脱可能に装着されてプラグ４１１ａ，４１１ｂに着脱端子１２１ａ，１２１ｂが接続されるようになっている。すなわち、充電用電源接続装置１００は、電源アダプタ４１０ａ，４１０ｂからの電力がプラグ４１１ａ，４１１ｂを介して第１及び第２携帯端末機用入力コネクタ１２０ａ，１２０ｂの着脱端子１２１ａ，１２１ｂにそれぞれ供給される構成とされている。
【００４２】
基板１４０に形成された充電回路１３０は、ＵＳＢ入力コネクタ１１０並びに第１及び第２携帯端末機用入力コネクタ１２０ａ，１２０ｂにそれぞれ接続されるようになっている（図４参照）。すなわち、充電用電源接続装置１００は、電源機器３００と、第１携帯端末機４００ａの電源アダプタ４１０ａと、第２携帯端末機４００ｂの電源アダプタ４１０ｂとのうち少なくとも一つから、対応するコネクタを介して電力が供給された充電回路１３０から電子タバコ２００における蓄電池２１０を充電するための電力を出力する構成とされている。なお、充電回路１３０については、後ほど図４を参照しながら詳述する。
【００４３】
また、電子タバコ充電用出力コネクタ１５０は、充電回路１３０に接続される一方、電子タバコ２００（図１参照）における蓄電池２１０に接続された接続端子２２０に着脱可能に装着されて電子タバコ２００の接続端子（具体的にはネジ式の雄側螺合端子）２２０が電子タバコ充電用出力コネクタ１５０の着脱端子（具体的にはネジ式の雌側螺合端子）１５１に接続されるようになっている。すなわち、充電用電源接続装置１００は、充電回路１３０から出力される電力を、電子タバコ充電用出力コネクタ１５０の着脱端子１５１及び電子タバコ２００の接続端子２２０を介して蓄電池２１０に供給する構成とされている。
【００４４】
図４は、図１に示す充電用電源接続装置１００における充電回路１３０を示す回路図である。
【００４５】
図４に示すように、充電回路１３０は、電源ラインＰＷと、グランドラインＧＮＤと、ＵＳＢ電源である電源機器３００と携帯端末機４００の電源アダプタ４１０との双方に適合して作動する蓄電池充電用の電子デバイスＩＣ１と、互いに異なる色（ここでは赤色及び緑色）をそれぞれ発光する二つの発光素子（具体的には発光ダイオード素子）Ｄａ，Ｄｂを備えた第３発光素子デバイスＬＥＤ３と、第１、第２及び第３抵抗器Ｒ１，Ｒ２，Ｒ３と、第１及び第２キャパシタＣ１，Ｃ２とを備えている。
【００４６】
電源ラインＰＷには、ＵＳＢ入力コネクタ１１０の着脱端子１１１における電源端子部１１２が接続されると共に、第１及び第２携帯端末機用入力コネクタ１２０ａ，１２０ｂの着脱端子１２１ａ，１２１ｂにおける電源端子部１２２ａ，１２２ｂが接続されている。また、電源ラインＰＷには、第１抵抗器Ｒ１を介して電子タバコ充電用出力コネクタ１５０の着脱端子１５１における電源端子部１５２が接続されている。
【００４７】
グランドラインＧＮＤには、ＵＳＢ入力コネクタ１１０の着脱端子１１１におけるグランド端子部１１３と、第１及び第２携帯端末機用入力コネクタ１２０ａ，１２０ｂの着脱端子１２１ａ，１２１ｂにおけるグランド端子部１２３ａ，１２３ｂと、電子タバコ充電用出力コネクタ１５０の着脱端子１５１におけるグランド端子部１５３とが接続されている。そして、ＵＳＢ入力コネクタ１１０の着脱端子１１１における電源端子部１１２とグランド端子部１１３との間には、第１キャパシタＣ１が接続されている。また、電子タバコ充電用出力コネクタ１５０の着脱端子１５１における電源端子部１５２とグランド端子部１５３との間には、第２キャパシタＣ２が接続されている。
【００４８】
電子デバイスＩＣ１は、電力が供給されるＶｃｃピンＰ１と、接地されるＧＮＤピンＰ２と、充電状態を知らせるＣＨＲＧピンＰ３と、スタンバイ状態を知らせるＳＴＤＢＹピンＰ４と、充電電圧を出力するＢＡＴピンＰ５と、充電最大電流を調整するＰＲＯＧピンＰ６とを備えている。
【００４９】
ＶｃｃピンＰ１は、電源ラインＰＷに接続されており、ＧＮＤピンＰ２は、グランドラインＧＮＤに接続されている。ＣＨＲＧピンＰ３及びＳＴＤＢＹピンＰ４は、それぞれ、第３発光素子デバイスＬＥＤ３における発光素子Ｄａ，Ｄｂのカソード側に接続されている。そして、発光素子Ｄａ，Ｄｂのアノード側が第２抵抗器Ｒ２を介して電源ラインＰＷに接続されている。
【００５０】
ＢＡＴピンＰ５は、電子タバコ充電用出力コネクタ１５０の着脱端子１５１における電源端子部１５２に接続されている。ＰＲＯＧピンＰ６は、充電最大電流調整用の第３抵抗器Ｒ３を介してグランドラインＧＮＤに接続されている。
【００５１】
ここで、図４中に付した符号Ｒ４，Ｒ５（第４及び第５抵抗器）、符号ＬＥＤ１，ＬＥＤ２（第１及び第２発光素子デバイス）及び符号Ｄ１，Ｄ２（第１及び第２ダイオード）については、後ほど説明する。
【００５２】
かかる構成を備えた充電回路１３０は、電源機器３００のＵＳＢポート３１０と、第１携帯端末機４００ａの電源アダプタ４１０ａにおけるプラグ４１１ａと、第２携帯端末機４００ｂの電源アダプタ４１０ｂにおけるプラグ４１１ｂとのうち少なくとも一つが、対応するコネクタに装着されるときには、該コネクタからの電力がＶｃｃピンＰ１に供給される。そして、充電回路１３０は、ＶｃｃピンＰ１から電力が供給されることで、ＢＡＴピンＰ５から電子タバコ２００の蓄電池２１０を充電するための電力を出力できるようになっている。すなわち、充電用電源接続装置１００は、ＵＳＢ入力コネクタ１１０と、第１携帯端末機用入力コネクタ１２０ａと、第２携帯端末機用入力コネクタ１２０ｂとのうち、少なくとも一つからの電力により電子タバコ２００の蓄電池２１０を充電する構成とされている。
【００５３】
なお、充電回路１３０は、ＶｃｃピンＰ１に電力が供給されている場合において、電子タバコ２００の蓄電池２１０を充電している状態（充電状態）では、第３発光素子デバイスＬＥＤ３における一方の発光素子（ここでは赤色の発光素子Ｄａ）を点灯させ、電子タバコ２００の蓄電池２１０の充電が完了している状態（スタンバイ状態）では、第３発光素子デバイスＬＥＤ３における他方の発光素子（ここでは緑色の発光素子Ｄｂ）を点灯させるようになっている。
【００５４】
以上説明したように、電子タバコ２００の充電用電源接続装置１００によれば、外部電源として一般的に広く普及している電源機器（具体的にはパーソナルコンピュータ）３００のＵＳＢポート３１０に装着されるＵＳＢ入力コネクタ１１０に加えて、外部電源として一般的に広く普及している携帯端末機４００の電源アダプタ４１０におけるプラグ４１１に装着される携帯端末機用入力コネクタ１２０に接続された充電回路１３０からの電力によって、電子タバコ２００の蓄電池２１０を充電することができる。これにより、外部電源からの電力による充電の際の利便性を向上させることができる。
【００５５】
しかも、本実施の形態では、携帯端末機用入力コネクタ１２０は、互いに異なる２種類の第１及び第２携帯端末機４００ａ，４００ｂの電源アダプタ４１０ａ，４１０ｂにおけるプラグ４１１ａ，４１１ｂにそれぞれ装着される互いに異なる第１及び第２携帯端末機用入力コネクタ１２０ａ，１２０ｂとされているので、外部電源として２種類の携帯端末機４００ａ，４００ｂの電源アダプタ４１０ａ，４１０ｂを用いることができ、それだけ外部電源からの電力による充電のための利便性を向上させることが可能となる。
【００５６】
なお、本実施の形態では、携帯端末機用入力コネクタ１２０は、２種類のものとされているが、１種類或いは３種類以上のものであってもよい。
【００５７】
図２及び図３に示すように、本実施の形態に係る電子タバコ２００の充電用電源接続装置１００は、装置ケース１６０をさらに備えている。装置ケース１６０は、ＵＳＢ入力コネクタ１１０、携帯端末機用入力コネクタ１２０ａ，１２０ｂ、充電回路１３０を形成した基板１４０及び電子タバコ充電用出力コネクタ１５０を収容するようになっている。
【００５８】
装置ケース１６０には、ＵＳＢ入力コネクタ１１０のための第１開口Ｈ１と、携帯端末機用入力コネクタ１２０（ここでは第１及び第２携帯端末機用入力コネクタ１２０ａ，１２０ｂ）のための第２開口Ｈ２（Ｈ２ａ，Ｈ２ｂ）と、電子タバコ充電用出力コネクタ１５０のための第３開口Ｈ３とがそれぞれ形成されている。こうすることで、これらのコネクタ１１０，１２０，１５０と充電回路１３０とを装置ケース１６０の外部で接続するような接続ケーブルを別途設ける必要がなく、それだけ充電用電源接続装置１００のコンパクト化を実現することが可能となる。
【００５９】
具体的には、装置ケース１６０は、互いに直角とされた６つの第１から第６外側面１６０ａ，１６０ｂ，１６０ｃ，１６０ｄ，１６０ｅ，１６０ｆを有しており、厚み方向Ｚの中央部で分割された表側ケース１６１及び裏側ケース１６２で構成されている。表側ケース１６１及び裏側ケース１６２のうち、何れか一方（ここでは表側ケース１６１）には位置決め用の凹部Ｑ１（図３（ｂ）参照）が設けられ、他方（ここでは裏側ケース１６２）には凹部Ｑ１に対応する位置決め用の凸部Ｑ２が設けられている。表側ケース１６１及び裏側ケース１６２は、ここでは、接着剤で接着されるようになっている。表側ケース１６１及び裏側ケース１６２は、接着剤に代えて或いは加えて、互いに嵌合構成とされることで嵌着されるようになっていてもよい。
【００６０】
ＵＳＢ入力コネクタ１１０、第１及び第２携帯端末機用入力コネクタ１２０ａ，１２０ｂ並びに電子タバコ充電用出力コネクタ１５０は、装置ケース１６０における厚み方向Ｚの中央部に位置するように配設されている。従って、第１から第３開口Ｈ１，Ｈ２（Ｈ２ａ，Ｈ２ｂ），Ｈ３は、装置ケース１６０を構成する表側ケース１６１と裏側ケース１６２とで分割された形状とされている。すなわち、第１から第３開口Ｈ１，Ｈ２（Ｈ２ａ，Ｈ２ｂ），Ｈ３は、表側ケース１６１に設けられた凹部ｈ１１，ｈ２１（ｈ２１ａ，ｈ２１ｂ），ｈ３１と、裏側ケース１６２において表側ケース１６１の凹部ｈ１１，ｈ２１（ｈ２１ａ，ｈ２１ｂ），ｈ３１に対応する位置に設けられた凹部ｈ１２，ｈ２２（ｈ２２ａ，ｈ２２ｂ），ｈ３２とでそれぞれ構成されている。
【００６１】
本実施の形態において、ＵＳＢ入力コネクタ１１０及び電子タバコ充電用出力コネクタ１５０は、着脱方向が互いに相反する第１方向Ｘに向くように、かつ、第１方向Ｘで揃うように（オーバーラップするように）配設されている。こうすることで、電源機器３００のＵＳＢポート３１０にＵＳＢ入力コネクタ１１０を装着するときに、第１方向Ｘに沿った狭いスペースを確保するだけで電源機器３００からの電力を蓄電池２１０に供給することが可能となる。
【００６２】
詳しくは、ＵＳＢ入力コネクタ１１０及び電子タバコ充電用出力コネクタ１５０は、装着側が第１から第６外側面１６０ａ〜１６０ｆのうち、互いに相反する外側面（ここでは第１及び第２外側面１６０ａ，１６０ｂ）の開口（第１及び第３開口Ｈ１，Ｈ３）に向くように、残りの外側面（ここでは第３から第６外側面１６０ｃ〜１６０ｆ）に沿って配設されている。
【００６３】
本実施の形態において、第１及び第２携帯端末機用入力コネクタ１２０ａ，１２０ｂは、第１方向Ｘに直交する方向であって着脱方向が互いに相反する第２方向Ｙに向くように、かつ、第２方向Ｙで揃うように（オーバーラップするように）配設されている。こうすることで、コンパクト化を維持しつつ、第１及び第２携帯端末機４００ａ，４００ｂの電源アダプタ４１０ａ，４１０ｂに第１及び第２携帯端末機用入力コネクタ１２０ａ，１２０ｂの少なくとも一つを装着して第１及び第２携帯端末機４００ａ，４００ｂの電源アダプタ４１０ａ，４１０ｂの少なくとも一つからの電力を蓄電池２１０に供給することが可能となる。
【００６４】
詳しくは、第１及び第２携帯端末機用入力コネクタ１２０ａ，１２０ｂは、装着側が残りの外側面（ここでは第３から第６外側面１６０ｃ〜１６０ｆ）のうち、互いに相反する外側面（ここでは第３及び第４外側面１６０ｃ，１６０ｄ）の開口（第２開口Ｈ２ａ，Ｈ２ｂ）に向くように配設されている。
【００６５】
具体的には、ＵＳＢ入力コネクタ１１０及び電子タバコ充電用出力コネクタ１５０は、第２方向Ｙの中央位置が第１方向Ｘで互いに略一致するように配設されている。第１及び第２携帯端末機用入力コネクタ１２０ａ，１２０ｂは、第１方向Ｘの中央位置が第２方向Ｙで互いに略一致するように配設されている。なお、第１方向Ｘ及び第２方向Ｙは、ここでは装置ケース１６０の厚み方向Ｚに直交する方向とされている。
【００６６】
本実施の形態において、ＵＳＢ入力コネクタ１１０並びに第１及び第２携帯端末機用入力コネクタ１２０ａ，１２０ｂは、充電回路１３０を形成した基板１４０上に設けられている。こうすることで、さらなるコンパクト化を実現しつつ、ＵＳＢ入力コネクタ１１０並びに第１及び第２携帯端末機用入力コネクタ１２０ａ，１２０ｂを装置ケース１６０に容易にかつ安定的に収容させることが可能となる。
【００６７】
詳しくは、基板１４０は、第５及び第６外側面１６０ｅ，１６０ｆに沿って装置ケース１６０内に配設されている。具体的には、基板１４０は、ビス等の固定部材ＳＣ（図３（ａ）参照）によって裏側ケース１６２に固定されている。そして、ＵＳＢ入力コネクタ１１０並びに第１及び第２携帯端末機用入力コネクタ１２０ａ，１２０ｂは、基板１４０に搭載（具体的には基板１４０に対して半田によって直付け）されている。
【００６８】
本実施の形態において、基板１４０上に形成された充電回路１３０には、第１及び第２携帯端末機用入力コネクタ１２０ａ，１２０ｂから電力が供給されることでそれぞれ発光する第１及び第２発光素子Ｄｃ，Ｄｄを有する第１及び第２発光素子デバイスＬＥＤ１，ＬＥＤ２が設けられている（図２から図４参照）。すなわち、第１及び第２発光素子デバイスＬＥＤ１，ＬＥＤ２は、基板１４０に搭載（具体的には基板１４０に対して半田によって直付け）されている。なお、第３発光素子デバイスＬＥＤ３も同様に基板１４０に搭載（具体的には基板１４０に対して半田によって直付け）されている。
【００６９】
図４に示す充電回路１３０では、第１発光素子デバイスＬＥＤ１において第１発光素子Ｄｃのアノード側が第４抵抗器Ｒ４を介して第１携帯端末機用入力コネクタ１２０ａの着脱端子１２１ａにおける電源端子部１２２ａに接続され、カソード側がグランドラインＧＮＤに接続されている。また、第２発光素子デバイスＬＥＤ２において第２発光素子Ｄｄのアノード側が第５抵抗器Ｒ５を介して第２携帯端末機用入力コネクタ１２０ｂの着脱端子１２１ｂにおける電源端子部１２２ｂに接続され、カソード側がグランドラインＧＮＤに接続されている。
【００７０】
そして、図２（ａ）及び図３（ｂ）に示すように、装置ケース１６０には、第１及び第２発光素子デバイスＬＥＤ１，ＬＥＤ２からの光を透過させる第１及び第２光透過部Ｓ１，Ｓ２がそれぞれ設けられている。こうすることで、第１及び第２携帯端末機４００ａ，４００ｂの電源アダプタ４１０ａ，４１０ｂのうちの接続されている電源アダプタから電力が供給されているか否かを利用者に認識させることができ、これにより、該電源アダプタからの電力を蓄電池２１０に確実に供給することが可能となる。なお、装置ケース１６０には、第３発光素子デバイスＬＥＤ３からの光を透過させる第３光透過部Ｓ３も設けられている。
【００７１】
詳しくは、第１及び第２光透過部Ｓ１，Ｓ２は、第１から第６外側面１６０ａ〜１６０ｆのうち、第１から第３開口Ｈ１〜Ｈ３が形成されていない二つの外側面（ここでは第５及び第６外側面１６０ｅ，１６０ｆ）の一方の外側面（ここでは第５外側面１６０ｅ）に位置するように表側ケース１６１に設けられている。なお、第３光透過部Ｓ３も第５外側面１６０ｅに位置するように表側ケース１６１に設けられている。
【００７２】
具体的には、第１発光素子デバイスＬＥＤ１は、第２方向Ｙにおいて第１携帯端末機用入力コネクタ１２０ａ寄りに設けられている。第２発光素子デバイスＬＥＤ２は、第２方向Ｙにおいて第２携帯端末機用入力コネクタ１２０ｂ寄りに設けられている。第３発光素子デバイスＬＥＤ３は、第１発光素子デバイスＬＥＤ１と第２発光素子デバイスＬＥＤ２との間に設けられている。そして、第１から第３光透過部Ｓ１〜Ｓ３は、表側ケース１６１の第１から第３発光素子デバイスＬＥＤ１〜ＬＥＤ３にそれぞれ対応する位置に設けられている。第１から第３光透過部Ｓ１〜Ｓ３は、ここでは、貫通孔とされている。第１から第３光透過部Ｓ１〜Ｓ３は、貫通孔に限定されるものではなく、光を透過させる樹脂やガラス等の透光体で形成されていてもよい。
【００７３】
本実施の形態において、第５外側面１６０ｅにおける第１及び第２光透過部Ｓ１，Ｓ２の近傍で、かつ、第１及び第２携帯端末機用入力コネクタ１２０ａ，１２０ｂに対応する位置には、第１及び第２携帯端末機４００ａ，４００ｂの電源アダプタ４１０ａ，４１０ｂの種類を示す第１及び第２表示情報（例えば、携帯端末機の種類そのものや、移動体通信事業者の社名を示す文字）Ｍ１，Ｍ２がそれぞれ表示されている（図２（ａ）参照）。こうすることで、コンパクト化を維持しつつ、第１及び第２携帯端末機用入力コネクタ１２０ａ，１２０ｂがどこにあるかを示す位置表示と、第１及び第２光透過部Ｓ１，Ｓ２に対応付けた第１及び第２携帯端末機４００ａ，４００ｂの電源アダプタ４１０ａ，４１０ｂが何れの種類であるかを示す種類表示とを兼ねる表示を行うことができ、それだけ蓄電池２１０への充電の際の利便性を向上させることができる。
【００７４】
なお、本実施の形態では、第１携帯端末機用入力コネクタ１２０ａは、複数の移動体通信事業者の間（具体的にはＡ社及びＢ社の間）で共通のコネクタを利用できるようになっている。よって、第１表示情報Ｍ１（○○○）には、「Ａ社の携帯端末機の種類／Ｂ社の社名」が印刷、シールの付設或いは刻印されている。また、第２携帯端末機用入力コネクタ１２０ｂは、単一の移動体通信事業者（具体的にはＣ社）のみで利用することから、第２表示情報Ｍ２（△△△）には、「Ｃ社の社名」のみが印刷、シールの付設或いは刻印されている。
【００７５】
なお、第５外側面１６０ｅにおける第３光透過部Ｓ６の近傍で、かつ、第１表示情報Ｍ１と第２表示情報Ｍ２との間には、第３発光素子デバイスＬＥＤ３による発光が蓄電池２１０に対する充電状態を知らせるものであることを表示する表示情報Ｍ５（ここでは単語「ＲＥＣＨＡＲＧＥ」）が印刷、シールの付設或いは刻印されている。
【００７６】
本実施の形態において、図２（ｂ）に示すように、他方の外側面（ここでは裏側ケース１６２の第６外側面１６０ｆ）の第１及び第２携帯端末機用入力コネクタ１２０ａ，１２０ｂに対応する位置にも、第１及び第２携帯端末機４００ａ，４００ｂの電源アダプタ４１０ａ，４１０ｂの種類を示す第３及び第４表示情報（例えば、携帯端末機の種類そのものや、移動体通信事業者の社名を示す文字）Ｍ３，Ｍ４がそれぞれ表示（具体的には印刷、シールの付設或いは刻印）されている。こうすることで、充電用電源接続装置１００が裏側を向いても、第１及び第２携帯端末機用入力コネクタ１２０ａ，１２０ｂの位置表示及びそれに対応する第１及び第２携帯端末機４００ａ，４００ｂの電源アダプタ４１０ａ，４１０ｂの種類表示を行うことができ、蓄電池２１０への充電の際のさらなる利便性の向上を実現することができる。
【００７７】
本実施の形態において、図４に示す充電回路１３０には、電源機器３００及び携帯端末機４００（ここでは第１及び第２携帯端末機４００ａ，４００ｂ）の電源アダプタ４１０（４１０ａ，４１０ｂ）のうち、２つ以上の機器が接続された場合、接続された機器への電流の逆流を防止するための逆流防止用ダイオードとして第１ダイオードＤ１及び第２ダイオードＤ２（Ｄ２ａ、Ｄ２ｂ）が設けられている。
【００７８】
詳しくは、第１ダイオードＤ１は、ＵＳＢ入力コネクタ１１０と第１キャパシタＣ１との間の電源ラインＰＷに、アノード側がＵＳＢ入力コネクタ１１０側となるように直列に接続されている。また、第２ダイオードＤ２（Ｄ２ａ，Ｄ２ｂ）は、第１抵抗器Ｒ１と携帯端末機用入力コネクタ１２０（１２０ａ，１２０ｂ）との間の電源ラインＰＷ，ＰＷに、アノード側が携帯端末機用入力コネクタ１２０（１２０ａ，１２０ｂ）側となるようにそれぞれ直列に接続されている。
【００７９】
このように、充電回路１３０に第１ダイオードＤ１及び第２ダイオードＤ２（Ｄ２ａ、Ｄ２ｂ）が設けられていることにより、電源機器３００のＵＳＢポート３１０がＵＳＢ入力コネクタ１１０に接続されたまま、電源アダプタ４００ａ，４００ｂのプラグ４１１ａ，４１１ｂのうち少なくとも一方（例えば、電源アダプタ４００ｂのプラグ４１１ｂ）も第１及び第２携帯端末機用入力コネクタ１２０ａ，１２０ｂのうちの対応するコネクタ（例えば、コネクタ１２０ｂ）に接続された場合において、ＵＳＢポート３１０からの出力電圧と、プラグ４１１ａ，４１１ｂのうち少なくとも一方（例えば、プラグ４１１ｂ）からの出力電圧とのうち少しでも電位の高い方から低い方へ電流が逆流することを防止することができる。或いは、電源機器３００のＵＳＢポート３１０がＵＳＢ入力コネクタ１１０に接続されていない状態で、電源アダプタ４００ａのプラグ４１１ａと、電源アダプタ４００ｂのプラグ４１１ｂとの双方が第１及び第２携帯端末機用入力コネクタ１２０ａ，１２０ｂにそれぞれ接続された場合において、電源アダプタ４００ａのプラグ４１１ａからの出力電圧と、電源アダプタ４００ｂのプラグ４１１ｂからの出力電圧とのうち少しでも電位の高い方から低い方へ電流が逆流することを防止することができる。
【００８０】
このように、充電回路１３０に第１ダイオードＤ１及び第２ダイオードＤ２（Ｄ２ａ、Ｄ２ｂ）が設けられていることで、電源機器３００と、第１携帯端末機４００ａの電源アダプタ４１０ａと、第２携帯端末機４００ｂの電源アダプタ４１０ｂとのうち、２つ以上の機器が接続された場合であっても、接続された機器への逆流を容易に防止することが可能となる。
【００８１】
なお、本実施の形態では、充電回路１３０は、電子タバコ２００の蓄電池２１０から、電源機器３００及び電源アダプタ４１０（４１０ａ，４１０ｂ）のうちの接続された機器への電流の逆流は、電子デバイスＩＣ１により防止するようになっている。
【符号の説明】
【００８２】
１００                  充電用電源接続装置
１１０                  ＵＳＢ入力コネクタ
１２０                  携帯端末機用入力コネクタ
１２０ａ                第１携帯端末機用入力コネクタ
１２０ｂ                第２携帯端末機用入力コネクタ
１３０                  充電回路
１４０                  基板
１５０                  電子タバコ充電用出力コネクタ
１６０                  装置ケース
１６１                  表側ケース
１６２                  裏側ケース
２００                  電子タバコ
２１０                  蓄電池
３００                  電源機器
３１０                  ＵＳＢポート
４００                  携帯端末機
４００ａ                第１携帯端末機
４００ｂ                第２携帯端末機
４１０                  携帯端末機の電源アダプタ
４１０ａ                第１携帯端末機の電源アダプタ
４１０ｂ                第２携帯端末機の電源アダプタ
Ｄ１                    第１ダイオード
Ｄ２（Ｄ２ａ，Ｄ２ｂ）  第２ダイオード
Ｄｃ                    第１発光素子
Ｄｄ                    第２発光素子
Ｈ１                    第１開口
Ｈ２                    第２開口
Ｈ３                    第３開口
ＩＣ１                  電子デバイス
ＬＥＤ１                第１発光素子デバイス
ＬＥＤ２                第２発光素子デバイス
ＬＥＤ３                第３発光素子デバイス
Ｘ                      第１方向
Ｙ                      第２方向
Ｚ                      厚み方向
【図１】
2012090427.tif 000003
【図２】
2012090427.tif 000004
【図３】
2012090427.tif 000005
【図４】
2012090427.tif 000006